(57)【要約】      （修正有）【課題】異なる取り外し可能な調理器具と組み合わせて、各々対応する機能を持たせることができる電気調理器具を提供する。【解決手段】電気調理器具は、ベース１１０と、第一調理器具１２０と、ヒーター１５０と、微動スイッチ１４０と、制御モジュールを備える。第一調理器具はベースに取り外し可能に搭載される。ヒーターは、ベースに設けられる。微動スイッチはベースに設けられ、ベースから露出される。制御モジュールはヒーター及び微動スイッチと電気的に接続される。第一調理器具がベースに搭載される時、第一調理器具は微動スイッチを作動して、制御モジュールがヒーターを起動し、少なくとも一つのモードで第一調理器具を加熱する。【選択図】図２
0003210252.tif 000002
【実用新案登録請求の範囲】
【請求項１】
ベースと、
前記ベースに取り外し可能に搭載される第一調理器具と、
前記ベースに設けられるヒーターと、
前記ベースに設けられ、前記ベースから露出される微動スイッチと、
前記ヒーター及び前記微動スイッチと電気的に接続される制御モジュールと、を備え、
前記第一調理器具が前記ベースに搭載される時、前記第一調理器具は前記微動スイッチを作動して、前記制御モジュールが前記ヒーターを起動し、少なくとも一つのモードで前記第一調理器具を加熱することを特徴とする電気調理器具。
【請求項２】
前記ヒーターは、前記ベースのくぼみに位置し、前記第一調理器具を搭載するのに適する加熱プレートであることを特徴とする請求項１に記載の電気調理器具。
【請求項３】
前記ベースは、前記加熱プレートを囲う溝をさらに有し、前記微動スイッチは前記溝に位置することを特徴とする請求項２に記載の電気調理器具。
【請求項４】
前記第一調理器具の底部に互いに隣り合う第一受熱部とフランジを有し、前記第一調理器具が前記ベースの前記くぼみに置かれる時、前記第一受熱部は前記加熱プレートに当接し、前記フランジは前記溝に入って前記微動スイッチを押し当てることを特徴とする請求項３に記載の電気調理器具。
【請求項５】
前記フランジは前記第一受熱部を囲うことを特徴とする請求項４に記載の電気調理器具。
【請求項６】
前記第一調理器具が前記ヒーターによって加熱され、前記ベースから取り外された後、前記第一調理器具を置いて保温するのに適する保温プレートをさらに備えることを特徴とする請求項１に記載の電気調理器具。
【請求項７】
前記第一調理器具が前記ベースから取り外された後、前記ベースに取り外し可能に搭載され、前記加熱プレートによって加熱される第二調理器具をさらに備えることを特徴とする請求項２から請求項５のいずれか一項に記載の電気調理器具。
【請求項８】
前記第二調理器具の底部に第二受熱部を有し、前記第二調理器具が前記ベースに搭載される時、前記第二受熱部は前記ヒーターに当接し、前記微動スイッチの前記ヒーターがある平面上における直交射影は、前記第二受熱部の前記平面上における直交射影の範囲外にあることを特徴とする請求項７に記載の電気調理器具。
【請求項９】
前記第二受熱部は全て平面の輪郭を呈し、前記ヒーターの輪郭に符合することを特徴とする請求項８に記載の電気調理器具。
【考案の詳細な説明】
【技術分野】
【０００１】
本実用新案は電気調理器具に関するものである。
【背景技術】
【０００２】
一般的に、電気調理器具は、外釜、内釜及び外釜底部に取り付けられている温度コントローラ及びヒーターを有する。電気調理器具の調理する過程において、ヒーターは外釜の水に対して加熱し続け、これによって、内釜の食材を湯せんで加熱する。電気調理器具の調理する過程において、外釜の水が完全に蒸発するまで、内外釜の水は沸騰し続ける（即ち、１００℃を維持する）。この時、温度コントローラはヒーターの加熱動作を停止する、または、ヒーターを１００℃より低い温度の保温状態に調整する。
【０００３】
一般的な電気調理器具の調理過程において、外釜の水温を制御することはできず、したがって、調理する過程において、電気調理器具内部の水温は１００℃の高温に維持される。即ち、一般的な電気調理器具は調理過程において、すべての過程において高温で調理される。しかしながら、食材によっては１００℃の高温で調理されるのに適さない。または、食材によっては１００℃より低い温度で長時間調理することが必須であり、それによって、食材の栄養成分を破壊する、または、食材の食感に影響することを避けることができる。これ以外にも、食材によっては長時間の低温調理によって、食材の本当の味が現われ、高温調理で生じる人体に有害な物質を減らすこともできる。しかしながら、上述の調理条件は一般的な電気調理器具では、達成することができないものである。
【考案の概要】
【考案が解決しようとする課題】
【０００４】
本考案は、異なる取り外し可能な調理器具と組み合わせて、対応する機能を有する電気調理器具を提供することを目的とする。
【課題を解決するための手段】
【０００５】
本考案の電気調理器具は、ベースと、第一調理器具と、ヒーターと、微動スイッチと、制御モジュールを備える。第一調理器具はベースに取り外し可能に搭載される。ヒーターは、ベースに設けられる。微動スイッチはベースに設けられ、ベースから露出される。制御モジュールはヒーター及び微動スイッチと電気的に接続される。第一調理器具がベースに搭載される時、第一調理器具は微動スイッチを作動して、制御モジュールがヒーターを起動し、少なくとも一つのモードで第一調理器具を加熱する。
【０００６】
本考案の実施形態において、前記ヒーターは、ベースのくぼみに位置し、前記第一調理器具を搭載するのに適する加熱プレートである。
【０００７】
本考案の実施形態において、前記ベースは、前記加熱プレートを囲う溝をさらに有し、微動スイッチは溝に位置する。
【０００８】
本考案の実施形態において、前記第一調理器具の底部に互いに隣り合う第一受熱部とフランジを有する。第一調理器具が前記ベースの前記くぼみに置かれる時、第一受熱部は加熱プレートに当接する。
【０００９】
本考案の実施形態において、前記フランジは第一受熱部を囲う。
【００１０】
本考案の実施形態において、前記電気調理器具は、第一調理器具がヒーターによって加熱され、ベースから取り外された後、第一調理器具を置いて保温するのに適する保温プレートをさらに備える。
【００１１】
本考案の実施形態において、前記電気調理器具は、ベースに取り外し可能に搭載され、加熱プレートによって加熱される第二調理器具をさらに備える。
【００１２】
本考案の実施形態において、前記第二調理器具の底部に第二受熱部を有し、第二調理器具がベースに搭載される時、第二受熱部はヒーターに当接し、微動スイッチのヒーターがある平面上における直交射影は、第二受熱部の平面上における直交射影の範囲外にある。
【考案の効果】
【００１３】
以上に基づき、電気調理器具は、ベースと取り外し可能な第一調理器具から構成され、第一調理器具はベースに設けられたヒーターによって加熱された後、ベースから取り外して使用者が必要とする場所に置くことができる。さらに、第一調理器具はベースに置かれた時、ベースに設けられた微動スイッチが作動して、制御モジュールが第一調理器具の存在を検出し、予め設定されている少なくとも一つのモードで第一調理器具を加熱できる。即ち、前記制御モジュールは多種類の加熱モードを保存して、ヒーターを制御しており、且つ、微動スイッチを作動したか否かによってベース上の調理器具を識別して、前記第一調理器具であると確認した時に、対応するモードでヒーターを駆動できる。
【００１４】
本考案の上述した特徴と利点を更に明確化するために、以下、幾つかの実施形態を挙げて図面と共に詳細な内容を説明する。
【図面の簡単な説明】
【００１５】
【図１】図１は、本考案の実施形態における電気調理器具の異なる状態の模式図である。
【図２】図２は、本考案の実施形態における電気調理器具の異なる状態の模式図である。
【図３】図３は、図１の電気調理器具の一部の部材の模式図である。
【図４】図４は、図１の電気調理器具の部材の関係図である。
【図５】図５は、本考案の第一調理器具の別の状態にある模式図である。
【図６】図６は、本考案の別の実施形態における電気調理器具の模式図である。
【図７】図７は、図６の電気調理器具の分解図である。
【図８】図８は、図６の電気調理器具の一部の部材の模式図である。
【考案を実施するための形態】
【００１６】
図１及び図２は、本考案の実施形態における電気調理器具の異なる状態の模式図である。図３は、図１の電気調理器具の一部の部材の模式図である。図４は、図１の電気調理器具の部材の関係図である。図１から図４を同時に参照すると、本実施形態において、電気調理器具１００は、ベース１１０と、第一調理器具１２０と、ヒーター１５０と、微動スイッチ１４０と、制御モジュール１３０を備える。第一調理器具１２０はベース１１０に取り外し可能に搭載される。ヒーター１５０はベース１１０に設けられる。微動スイッチ１４０はベース１１０に設けられ、ベース１１０から露出される。制御モジュール１３０はヒーター１５０及び微動スイッチ１４０と電気的に接続される。第一調理器具１２０がベース１１０に搭載される時、第一調理器具１２０は微動スイッチ１４０を作動して、制御モジュール１３０がヒーター１５０を起動し、少なくとも一つのモードで第一調理器具１２０を加熱する。
【００１７】
詳細には、ベース１１０はくぼみ１１２を有し、異なる調理器具を収容するのに用いられ、また、ヒーター１５０は、例えば、ベース１１０に取り付けられ、くぼみ１１２に位置する加熱プレートであり、ヒーター１５０は、その上に搭載された異なる調理器具に対して対応する加熱機能を提供して、調理目的を達成することができる。本実施形態における第一調理器具１２０は、例えば、電気炊飯器であり、ベース１１０と結合した後に、釜装置を形成して、別の調理器具の選択を提供する。図１に示すように、本実施形態における第一調理器具１２０は、本体と上蓋を有する。さらに、上蓋の部分は圧力弁を有し、第一調理器具１２０に、蒸し調理時の保圧または蒸気圧力除去効果を備えさせるのに用いられる。
【００１８】
図２から図４を再び参照すると、本実施形態において、ベース１１０は溝１１４をさらに有し、ヒーター１５０とくぼみ１１２の側壁との間に位置し、実質的に加熱プレートを囲っている。さらに、前記微動スイッチ１４０は溝１１４に設けられる。対応して、図３に示すように、第一調理器具１２０の底部に互いに隣り合う第一受熱部１２４と第一受熱部１２４を囲うフランジ１２６とを有し、第一調理器具１２０がベース１１０に搭載される時、第一受熱部１２４は加熱プレート（ヒーター１５０）に当接し、第一調理器具１２０は加熱されて調理できる。同時に、フランジ１２６は溝１１４に入り、微動スイッチを押し当てて作動し、制御モジュール１３０が第一調理器具１２０の存在を知ることができ、ヒーター１５０を駆動して少なくとも一つのモードで第一調理器具１２０を加熱する。即ち、設計者の第一調理器具１２０に対して、対応する（且つ限定する）加熱機能を与えるプログラムは制御モジュール１３０に保存され、第一調理器具１２０がベース１１０に搭載されて、微動スイッチ１４０を作動させた後、制御モジュール１３０は、前記加熱機能によって第一調理器具１２０を加熱し、第一調理器具１２０内の食材は、対応する且つ限定する調理手段を得ることができる。前記作動する動作は図４の破線で図示されている。
【００１９】
ここでは、接触式の押す構造によって微動スイッチ１４０を図示したが、本考案はこれに限定されない。別の不図示の実施形態において、そのほかの形式の微動スイッチ、例えば、磁性部材からなる非接触式の微動スイッチによって、同じ作動する効果を達成することもできる。
【００２０】
図５は、本考案の第一調理器具の別の状態にある模式図である。図５を参照すると、本実施形態において、電気調理器具１００は保温プレート１７０をさらに備え、第一調理器具１２０の別の搭載部品として（ベース１１０とは異なる）、第一調理器具１２０がベース１１０内のヒーター１５０によって調理する過程後に、ベース１１０から取り外され、保温プレート１７０に置いて、電気を用いない状態で保温する効果を達成できる。同時に、取り外された第一調理器具１２０のベース１１０は、これによってその他の調理器具を加熱することができる。
【００２１】
図６は、本考案の別の実施形態における電気調理器具の模式図である。図７は、図６の電気調理器具の分解図である。図８は、図６の電気調理器具の一部の部材の模式図である。図6から図８を同時に参照すると、本実施形態において、電気調理器具２００は、ベース１１０と第二調理器具２１０を備え、そのうちベース１１０はすでに言及されており、ここでは繰り返さない。前述の実施例と比較してわかることは、第一調理器具１２０がベース１１０から取り外された後、使用者は第二調理器具２１０をベース１１０上に置いて、ヒーター１５０を続けて利用して第二調理器具２１０を加熱することができる。ここでは、第二調理器具２１０は、本体２１１と、グリルプレート２１３と、蓋２１５を備え、そのうちグリルプレート２１３は必要に応じて本体２１１に置いたり外したりでき、即ち、本体２１１だけで食材を盛り付けて、加熱することができる。
【００２２】
前述と異なるのは、第二調理器具２１０の底部に第二受熱部２１２を有し、前記第二受熱部２１２の面積はヒーター１５０（加熱プレート）の面積より小さい、即ち、第二調理器具２１０がベース１１０に搭載される時、第二受熱部２１２はヒーター１５０に当接するが、微動スイッチ１４０のヒーター１５０がある平面上における直交射影は、第二受熱部２１２の前記平面上における直交射影の範囲外にある。換言すると、第二調理器具２１０は、第一調理器具１２０の底部に位置するフランジ１２６を備えず、したがって、第二調理器具２１０がベース１１０に置かれる時に、微動スイッチ１４０を作動しない。ここでは、第二受熱部２１２は全て平面の輪郭を呈し、加熱プレート（ヒーター１５０）の輪郭に符合する。
【００２３】
このようにして、制御モジュール１３０は、微動スイッチ１４０の作動を受け取っていない状況下で、前記作動していない状態に対応する手段でヒーター１５０を駆動する。即ち、本考案の電気調理器具は、微動スイッチ１４０を作動したか否かによって、ベース１１０上の異なる調理器具に対して、異なる加熱モードを実施することを決定することができる。
【００２４】
以上をまとめると、本考案の上述の実施形態において、電気調理器具は、ベースと、取り外し可能な第一調理器具と、第二調理器具によって構成することで、第一調理器具はベースに設けられたヒーターによって加熱された後、ベースから取り外されて、使用者が必要とする場所に置かれる。同時に、ベース上に第二調理器具を置いて加熱することができ、電気調理器具の適用範囲を有効的に向上させることができる。
【００２５】
さらに、第一調理器具がベース上に置かれる時、ベースに設けられた微動スイッチを作動して、制御モジュールが第一調理器具の存在を検出し、予め設定されている少なくとも一つのモードで第一調理器具を加熱する。対照的に、第二調理器具がベース上に置かれる時、微動スイッチを作動させず、制御モジュールは、別のモードで第二調理器具を加熱する。即ち、前記制御モジュールは、多種類の加熱モードを保存して、ヒーターを制御しており、且つ、微動スイッチを作動したか否かによってベース上の調理器具を識別して、ベース上の調理器具を確認する形式によって、対応するモードでヒーターを駆動して、多機能調理の効果を達成することができる。
【００２６】
本考案は以上の実施形態のように示したが、本考案は、これに限られるものではなく、当業者が本考案の精神の範囲から逸脱しない範囲において、変更又は修正することが可能であるが故に本考案の保護範囲は均等の範囲にまで及ぶものとする。
【産業上の利用可能性】
【００２７】
異なる取り外し可能な調理器具と組み合わせて、対応する機能を有する電気調理器具を提供する。
【符号の説明】
【００２８】
１００、２００    電気調理器具
１１０    ベース
１１２    くぼみ
１１４    溝
１２０    第一調理器具
１２２    圧力弁
１２４    第一受熱部
１２６    フランジ
１３０    制御モジュール
１４０    微動スイッチ
１５０    ヒーター
１７０    保温プレート
２１０    第二調理器具
２１１    本体
２１２    第二受熱部
２１３    グリルプレート
２１５    蓋
【図１】
0003210252.tif 000003
【図２】
0003210252.tif 000004
【図３】
0003210252.tif 000005
【図４】
0003210252.tif 000006
【図５】
0003210252.tif 000007
【図６】
0003210252.tif 000008
【図７】
0003210252.tif 000009
【図８】
0003210252.tif 000010